(57)【要約】【課題】高い興趣性を奏し得る弾球遊技機を提供する。【解決手段】本体枠３に取付けられる遊技盤４と、本体枠３に回転可能に取付けられる前扉６を有する弾球遊技機１であって、遊技盤４はレール４ｂによって区画される遊技領域４ｃと外側領域４ｄを有し、外側領域４ｄに遊技盤装飾部材４ｅが設けられる。前扉６は遊技領域４ｃの前方に配されて遊技者が遊技領域４ｃを視認し得る透明度を具備する前扉中央透明部８と、外側領域４ｄの前方に配されて遊技者が遊技盤装飾部材４ｅを視認し得る透明度を具備する前扉外側透明部７ａとを有する。遊技盤装飾部材４ｅと前扉外側透明部７ａの間には、所定の透明度を有する中間透明部材５と、中間透明部材５に取付けられた中間装飾部材１０とが設けられる。遊技者が前扉外側透明部７ａを通して中間装飾部材１０を視認できかつ前扉外側透明部７ａと中間透明部材５を通して遊技盤装飾部材４ｅを視認できる構成になっている。【選択図】図１
2011036594.tif 000002
【特許請求の範囲】
【請求項１】
本体枠に取付けられる遊技盤と、前記本体枠の一側部に回転可能に取付けられて前記遊技盤の前側を開閉する前扉とを有する弾球遊技機であって、
前記遊技盤は、弾球の移動を制限するレールによって区画される遊技領域と、該遊技領域の外に位置する外側領域とを有し、前記外側領域に遊技盤装飾部材が設けられ、
前記前扉は、前記遊技領域の前方に配されて遊技者が前記遊技領域を視認し得る透明度を具備する前扉中央透明部と、前記外側領域の前方に配されて前記遊技者が前記遊技盤装飾部材を視認し得る透明度を具備する前扉外側透明部とを有し、
前記遊技盤装飾部材と前記前扉外側透明部の間には、所定の透明度を有する中間透明部材と、前記中間透明部材に取付けられた中間装飾部材とが設けられ、前記遊技者が前記前扉外側透明部を通して前記中間装飾部材を視認できかつ前記前扉外側透明部と前記中間透明部材を通して前記遊技盤装飾部材を視認できる構成になっていることを特徴とする弾球遊技機。
【請求項２】
請求項１に記載の弾球遊技機であって、
中間透明部材に配線が設けられ、前記配線によって供給された電気によって中間装飾部材が制御されることを特徴とする弾球遊技機。
【請求項３】
請求項１または２に記載の弾球遊技機であって、
前扉は、所定の透明度を有する樹脂材から形成されて前扉外側透明部を構成する樹脂体と、ガラスから形成されて前扉中央透明部を構成するガラス体と、前記ガラス体を前記樹脂体の開口部に保持するフレームを有し、
前記フレームは、前記ガラス体を保持する保持部と、前記保持部の外側位置にて前記樹脂体に取付けられる取付部を一体に有し、前記保持部と前記取付部の間に形成された開口部を介して遊技者が遊技盤装飾部材を視認できる構成になっていることを特徴とする弾球遊技機。
【発明の詳細な説明】
【技術分野】
【０００１】
本発明は、パチンコ機などの弾球遊技機に関する。
【背景技術】
【０００２】
パチンコ機などの弾球遊技機は、一般に本体枠に取付けられる遊技盤と、本体枠の一側部に回転可能に取付けられて遊技盤の前側を開閉する前扉を有している。従来、前扉にはランプなどの装飾部材が設けられ、これにより遊技機の興趣性が向上されている。あるいは特許文献１に記載のパチンコ機も知られている。該パチンコ機は、遊技盤と別体に形成された装飾部を有しており、遊技盤の上位置において装飾部が本体枠に取付けられる。そして遊技盤と装飾部を視認し得る透明な材料によって前扉が形成され、これにより遊技機の興趣性が向上されている。
【先行技術文献】
【特許文献】
【０００３】
【特許文献１】特開２００９−１５３８４４号公報
【発明の概要】
【発明が解決しようとする課題】
【０００４】
しかし興趣性をさらに向上させたいという要望がある。そこで本発明は、より高い興趣性を奏し得る弾球遊技機を提供することを課題とする。
【課題を解決するための手段】
【０００５】
前記課題を解決するために本発明は、各請求項に記載の通りの構成を備える弾球遊技機であることを特徴とする。請求項１に記載の発明によると、遊技盤は、弾球の移動を制限するレールによって区画される遊技領域と、該遊技領域の外に位置する外側領域とを有し、外側領域に遊技盤装飾部材が設けられている。前扉は、遊技領域の前方に配されて遊技者が遊技領域を視認し得る透明度を具備する前扉中央透明部と、外側領域の前方に配されて遊技者が遊技盤装飾部材を視認し得る透明度を具備する前扉外側透明部とを有している。遊技盤装飾部材と前扉外側透明部の間には、所定の透明度を有する中間透明部材と、中間透明部材に取付けられた中間装飾部材とが設けられる。そして遊技者が前扉外側透明部を通して中間装飾部材を視認できかつ前扉外側透明部と中間透明部材を通して遊技盤装飾部材を視認できる構成になっている。
【０００６】
したがって奥行きのある演出が奏され得る。すなわち前扉の奥に位置する中間装飾部材と、さらにその奥に位置する遊技盤装飾部材を遊技者が視認することができる。これにより奥行きのある特別な演出効果が奏されて、興趣性が向上する。また遊技盤装飾部材は、遊技盤と別体ではなく、遊技盤に取付けられている。そのため遊技盤装飾部材は、遊技盤と別体に設けられた装飾部材等に比べて、遊技盤の表示部等と一体性の有る演出、例えば関連性やダイナミック性の有る演出を容易に奏することができる。
【０００７】
また請求項２に記載の発明によると、中間透明部材に配線が設けられ、配線によって供給された電気によって中間装飾部材が制御される。したがって中間透明部材は、配線から供給された電気によって点灯等し得る。これにより弾球遊技機の趣向性が向上する。
【０００８】
また請求項３に記載の発明によると、前扉は、所定の透明度を有する樹脂材から形成されて前扉外側透明部を構成する樹脂体と、ガラスから形成されて前扉中央透明部を構成するガラス体と、ガラス体を樹脂体の開口部に保持するフレームを有している。フレームは、ガラス体を保持する保持部と、保持部の外側位置にて樹脂体に取付けられる取付部を一体に有している。保持部と取付部の間に形成された開口部を介して遊技者が遊技盤装飾部材を視認できる構成になっている。
【０００９】
したがって前扉は、樹脂体によって複雑な形状等も成形が容易になる。またガラス体によって耐久性が向上し得る。またフレームに開口部が設けられているために、遊技者は開口部を通して遊技盤に設けられた遊技盤装飾部材を視認できる。
【図面の簡単な説明】
【００１０】
【図１】パチンコ機の分解斜視図である。
【図２】遊技盤と中間部材の正面図である。
【図３】遊技盤と中間部材の側面図である。
【図４】パチンコ機の正面図である。
【図５】パチンコ機の側面図である。
【図６】他の実施の形態のパチンコ機の正面図である。
【発明を実施するための形態】
【００１１】
一つの実施の形態を図１〜５にしたがって説明する。図１に示すようにパチンコ機（弾球遊技機）１は、外枠２、本体枠３、遊技盤４および前扉６を有している。外枠２は、矩形状の矩形枠部２ａと、矩形枠部２ａの一側部（左側部）の上下部に取付けられたヒンジ部２ｂを有している。ヒンジ部２ｂに本体枠３が回転可能に取付けられる。
【００１２】
本体枠３は、図１に示すように矩形状であって、本体枠３の下部に上皿３ｂと下皿３ｃとハンドル３ｄが取付けられる。本体枠３の下部裏側には発射装置３ｆが設けられ、発射装置３ｆは、ハンドル３ｄを操作することで上皿３ｂからの弾球を遊技盤４の遊技領域４ｃに発射する。
【００１３】
遊技盤４は、図１に示すように本体枠３の枠内に取付けられる本体板部４ａを有している。本体板部４ａの裏面には、制御基盤などが取付けられており、表面には、円弧状のレール４ｂが取付けられている。本体板部４ａの表面は、レール４ｂによって遊技領域４ｃと四つの外側領域４ｄとに区画される。
【００１４】
図１，２に示すように遊技領域４ｃは、レール４ｂの内側であって本体板部４ａの中央に位置する。外側領域４ｄは、レール４ｂの外側であって本体板部４ａの四隅に位置する。遊技領域４ｃには、表示部４ｇと装飾部４ｈが装着される。表示部４ｇは、液晶表示等であって、制御基盤によって制御されて画像を表示する。装飾部４ｈは、レンズであって、表示部４ｇから放射線状に延出しており、光を集めたり屈折したりすることで演出効果を奏する。遊技領域４ｃにはさらに図示省略の複数の釘と入賞口等も装着される。
【００１５】
図１，２に示すように各外側領域４ｄには、遊技盤装飾部材４ｅと中間透明部材５が取付けられる。遊技盤装飾部材４ｅは、サーチライトであって、本体板部４ａに回転可能に取付けられるライト本体と、ライト本体に設けられて所定の方向に光を発する発光部を有している。ライト本体は、制御基盤によって制御される駆動部によって回転され、発光部が制御基盤によって点灯・消灯するように制御される。
【００１６】
図１，３に示すように各外側領域４ｄに複数の支柱４ｆが立設され、支柱４ｆに中間透明部材５が取付けられる。中間透明部材（透明基板）５は、板状の本体板部５ａと配線５ｂを有している。本体板部５ａは、所定の透明度を有する樹脂材料から成形されている。配線５ｂは、所定の透明度と導電性を有する導電性塗料を原料として、本体板部５ａの表面あるいは裏面あるいは内部に設けられる。
【００１７】
中間透明部材５には、図１，２に示すように複数の中間装飾部材１０が装着される。中間装飾部材１０は、光を発する発光ダイオードなどの発光体であって、配線５ｂ上に設けられる。配線５ｂが支柱４ｆと電気的に接続され、支柱４ｆが制御基盤と電気的に接続されている。したがって制御基盤によって中間装飾部材１０が点灯・消灯するように制御され得る。
【００１８】
前扉６は、図１に示すように樹脂体７とガラス体８とフレーム９を有している。樹脂体７は、所定の透明度を有する樹脂材によって一体的に成形されている。樹脂体７は、略平面状でかつ環状の前扉外側透明部７ａと、前扉外側透明部７ａの外周縁に起立する外周部７ｂと、前扉外側透明部７ａの内周縁に起立する内周部７ｃを一体に有している。樹脂体７の中央には、遊技領域４ｃと略同じ径を有する略円形の開口部７ｄが形成されており、開口部７ｄにガラス体８がフレーム９によって保持される。
【００１９】
ガラス体（前扉中央透明部）８は、図１に示すように円盤状であって、所定の透明度を有するガラスから形成されている。フレーム９は、金属製であって、矩形環状の取付部９ａと円環状の保持部９ｂを有している。保持部９ｂは、上下左右部が取付部９ａの内周面に取付けられ、内周にガラス体８が嵌め込まれる。フレーム９の四隅には、保持部９ｂの外周面と取付部９ａの内周面によって開口部９ｃが形成される。
【００２０】
取付部９ａは、図１に示すように樹脂体７の外周部７ｂの内周側に取付けられる。取付部９ａの一側部には、本体枠３に回転可能に取付けられるヒンジ部９ｄが設けられている。前扉６は、ヒンジ部９ｄを中心に遊技盤４を覆う閉じ位置と解放する開き位置との間で回転する。図４に示すように前扉６が閉じ位置の際、樹脂体７の前扉外側透明部７ａが遊技盤４の外側領域４ｄの前側に位置し、ガラス体８が遊技領域４ｃの前側に位置する。
【００２１】
ガラス体８が遊技領域４ｃの前側に位置することで、遊技領域４ｃを流下する弾球がガラス体８によって前方に移動することが規制され、かつ厚み方向に弾み得る。樹脂体７は、外側領域４ｄの前側に位置することで、外側領域４ｄの前方を視認可能に覆う。図５に示すように樹脂体７を閉じ位置にすることで、中間透明部材５と遊技盤装飾部材４ｅは、フレーム９の開口部９ｃを通って樹脂体７内に位置する。
【００２２】
以上のように前扉６は、図１に示すように遊技領域４ｃの前方に配されて遊技者が遊技領域４ｃを視認し得る透明度を具備する前扉中央透明部（ガラス体８）と、外側領域４ｄの前方に配されて遊技者が遊技盤装飾部材４ｅを視認し得る透明度を具備する前扉外側透明部７ａとを有している。遊技盤装飾部材４ｅと前扉外側透明部７ａの間には、所定の透明度を有する中間透明部材５と、中間透明部材５に取付けられた中間装飾部材１０とが設けられている。そして遊技者が前扉外側透明部７ａを通して中間装飾部材１０を視認できかつ前扉外側透明部７ａと中間透明部材５を通して遊技盤装飾部材４ｅを視認できる。
【００２３】
したがって奥行きのある演出が奏され得る。すなわち前扉６の奥に位置する中間装飾部材１０と、さらにその奥に位置する遊技盤装飾部材４ｅを遊技者が視認することができる。これにより奥行きのある特別な演出効果が奏されて、興趣性が向上する。また遊技盤装飾部材４ｅは、遊技盤４に取付けられている。そのため遊技盤装飾部材４ｅは、遊技盤４と別体に設けられた装飾部材等に比べ、遊技盤４の表示部４ｇ等と一体性の有る演出、例えば関連性やダイナミック性の有る演出を容易に奏することができる。
【００２４】
また図１に示すように中間透明部材５に所定の透明度を有する配線５ｂが設けられ、配線５ｂによって供給された電気によって中間装飾部材１０が制御される。したがって遊技者は、配線５ｂを通して遊技盤装飾部材４ｅを視認することができる。また中間透明部材５は、配線５ｂから供給された電気によって点灯等し得る。これによりパチンコ機１の趣向性が向上する。
【００２５】
また前扉６は、図１に示すように樹脂体７とガラス体８とフレーム９を有している。フレーム９は、ガラス体８を保持する保持部９ｂと、保持部９ｂの外側位置にて樹脂体７に取付けられる取付部９ａを一体に有している。保持部９ｂと取付部９ａの間に形成された開口部９ｃを介して遊技者が遊技盤装飾部材４ｅを視認できる。
【００２６】
したがって前扉６は、樹脂体７によって複雑な形状等も成形が容易になる。またガラス体８によって耐久性が向上し得る。またフレーム９に開口部９ｃが設けられているために、遊技者は開口部９ｃを通して遊技盤４に設けられた遊技盤装飾部材４ｅを視認し得る。
【００２７】
また前扉６は、所定の透明度を有する樹脂体７とガラス体８を有している。したがって機種変更の際、前扉６を変えることなく、遊技盤４と中間透明部材５のみを変えることで機種変更が可能である。そのため前扉６を共通部品として再利用することが可能である。
【００２８】
また前扉６は、図４に示すように遊技盤４の前面の略全体を覆い、かつ略全体において所定の透明度を有している。そのため遊技者は、遊技盤４の略全面における演出を視認することができる。また外側領域４ｄは、遊技盤４の四隅に位置している。したがって遊技領域４ｃは、遊技盤４の上下縁近傍に至る大きな上下長さを有して比較的大きい。そのため弾球が移動し得る面積が比較的大きくなって、趣向性が向上され得る。
【００２９】
（他の実施の形態）
本発明は、上記実施の形態に限定されず、以下の形態等であっても良い。
（１）遊技盤４は、図４に示す遊技盤装飾部材４ｅ、装飾部４ｈ、表示部４ｇを有している。しかしこれらに代えて図６に示す遊技盤装飾部材４ｊ、装飾部４ｋ、表示部４ｍを有していても良い。表示部４ｍは、遊技領域４ｃの略中央に設けられ、装飾部４ｋは、レンズであって遊技領域４ｃ内において表示部４ｍから放射方向に延出している。遊技盤装飾部材４ｊは、レンズであって外側領域４ｄにおいて表示部４ｍと同方向に延出している。
（２）図２に示す遊技盤４は、四隅に外側領域４ｄを有しており、各外側領域４ｄに遊技盤装飾部材４ｅが設けられている。しかしいずれか一つ、二つ、または三つの隅のみの外側領域４ｄに遊技盤装飾部材４ｅが設けられても良い。
（３）図１に示す前扉６は、前扉中央透明部としてガラス体８を有し、前扉外側透明部として樹脂体７を有している。しかし前扉が前扉中央透明部と前扉外側透明部を一体に有しており、これらが所定の透明度を有する樹脂材またはガラスから形成されても良い。
（４）図１に示す中間装飾部材１０は、配線５ｂによって供給される電気によって発光する発光体である。しかし中間装飾部材が配線によって供給される電気によって動く部材などであっても良い。
（５）図１に示す中間透明部材５は配線５ｂを有している。しかし中間透明部材が配線を有しておらず、中間透明部材に二次元または三次元のアニメのキャラクタ等が設けられていても良い。
（６）図２に示す表示部４ｇは、遊技領域４ｃの略中央に位置している。しかし表示部が遊技領域を超えて外側領域に位置するように配設されても良く、例えば表示部が遊技盤の大きさと略同じ大きさを有する形態であっても良い。
（７）図３に示す中間透明部材５は、遊技盤４に取付けられている。しかし中間透明部材が前扉のフレームまたは樹脂体に取付けられても良い。
（８）図５に示す遊技盤４と前扉６の間には、中間透明部材５が一層設けられている。しかしこれらの間に中間透明部材が複数層設けられても良い。
（９）図３に示す遊技機はパチンコ機１であるが、アレンジボール遊技機、雀球遊技機などの他の弾球遊技機であっても良い。
（１０）図１に示すフレーム９の取付部９ａと保持部９ｂの間には開口部９ｃが形成されている。しかし開口部９ｃに所定の透明度を有する透明部材が嵌め込まれていても良い。
（１１）図１に示す配線５ｂは所定の透明度を有している。しかし配線が透明度を有しておらず、遊技者が配線を通して奥側の部材を視認できない形態であっても良い。
（１２）図１に示すフレーム９は金属製であるが、フレームが樹脂製であっても良い。樹脂製のフレームの場合、図１に示す開口部９ｃに対応する位置が開口していても良いが、所定の透明度を有する樹脂材でかつ開口部９ｃを覆う部分がフレームに一体に設けられていても良い。また樹脂製のフレームの場合、四隅にフレームを補強するための金属製のステーが設けられても良い。
【符号の説明】
【００３０】
１…パチンコ機（弾球遊技機）
２…外枠
３…本体枠
４…遊技盤
４ｃ…遊技領域
４ｄ…外側領域
４ｅ，４ｊ…遊技盤装飾部材
５…中間透明部材
５ｂ…配線
６…前扉
７…樹脂体
７ａ…前扉外側透明部
７ｄ…開口部
８…ガラス体（前扉中央透明部）
９…フレーム
９ａ…取付部
９ｂ…保持部
１０…中間装飾部材
【図１】
2011036594.tif 000003
【図２】
2011036594.tif 000004
【図３】
2011036594.tif 000005
【図４】
2011036594.tif 000006
【図５】
2011036594.tif 000007
【図６】
2011036594.tif 000008